(57)【要約】  【課題】  書類の一時保管を安全かつ簡便に行うことが可能な保管庫を提供する。  【解決手段】  保管庫１は、書類を投入するための投入口１１と、書類を蓄積する保管箱１４と、投入口１１から投入された書類を、保管箱１４まで移動させる移動手段と、を有している。【選択図】  図１
2019042528.tif 000002
【特許請求の範囲】
【請求項１】
書類を投入するための投入口と、
前記書類を蓄積する保管箱と、
前記投入口から投入された前記書類を、前記保管箱まで移動させる移動手段と、
前記保管箱をロックするロック手段と、を有すること
を特徴とする保管庫。
【請求項２】
請求項１に記載の保管庫であって、
前記投入書類の逆流を防ぐ逆流防止手段を備えること
を特徴とする保管庫。
【請求項３】
請求項２に記載の保管庫であって、
前記逆流防止手段は、上下が逆になった際に書類の導路を塞ぐ弁であること
を特徴とする保管庫。
【請求項４】
請求項１から３の何れか一項に記載の保管庫であって、
前記ロック手段は、機械錠であり、鍵及び鍵穴を備えている
ことを特徴とする保管庫。
【請求項５】
請求項１から３の何れか一項に記載の保管庫であって、
前記ロック手段は、電子錠であり、
電子機器からの有線又は無線による情報の送受信により、ロック及びロック解除が可能である
ことを特徴とする保管庫。
【請求項６】
請求項１から３の何れか一項に記載の保管庫であって、
前記ロック手段は、電子錠であり、
カードによるロック及びロック解除が可能である
ことを特徴とする保管庫。
【請求項７】
請求項１から６の何れか一項に記載の保管庫であって、
前記移動手段は、自然落下により書類を移動させる
ことを特徴とする保管庫。
【請求項８】
請求項１から７の何れか一項に記載の保管庫であって、
前記移動手段は、ローラーの回転によって書類を移動させる
ことを特徴とする保管庫。
【請求項９】
請求項１から８の何れか一項に記載の保管庫であって、
前記移動手段は、その移動の過程で書類を反転させる
ことを特徴とする保管庫。
【請求項１０】
請求項１から９の何れか一項に記載の保管庫であって、
前記保管箱の内部に、書類を蓄積するトレイを備えている
ことを特徴とする保管庫。
【請求項１１】
請求項１から１０の何れか一項に記載の保管庫であって、
前記保管庫を、複数含んでいること
を特徴とする保管庫。
【請求項１２】
請求項１から１１の何れか一項に記載の保管庫であって、
書類を切断するシュレッダ部を、さらに有する
ことを特徴とする保管庫。
【発明の詳細な説明】
【技術分野】
【０００１】
本発明は、書類等を保管する保管庫に関する。
【背景技術】
【０００２】
近年、個人情報に対する取扱いが厳格化される中、企業内でも番号制度などの個人情報に関わる情報の機密保持を強化しなければならない状況になってきている。
【０００３】
従来、機密書類が記載された文書等は、まとめての保管、まとめての廃棄が主体とされてきた。例えば、そのまま機密書類を運び出して廃棄するために、紙リサイクルを可能とした書類回収キャビネット（例えば、特許文献１）や、輸送安全箱（例えば、特許文献２）等が開発されている。
【０００４】
一方で、少量な廃棄はシュレッダーで裁断されるのが一般的である。また、個人の手紙などの書類や品物等に対しては、例えば、郵便物や宅配物の簡易私書箱システム（例えば、特許文献３）等があった。
【先行技術文献】
【特許文献】
【０００５】
【特許文献１】特開２０１５−６３３９３号公報
【特許文献２】実用新案登録番号第３０２２８０７号公報
【特許文献３】特開２００２−４６８２８号公報
【発明の概要】
【発明が解決しようとする課題】
【０００６】
しかしながら、上記で示す特許文献は何れもまとめた書類の廃棄時や送付時の移動を主体としており、作業中の書類を一時的な保管に利用するには、施錠等の煩雑な手順が必要となる。社内における機密書類の取扱いは完全に隔離された業務環境があれば良いが、必ずしも鍵を掛けた部屋の確保が可能であるとは限らない。また、一方で完全に隔離された環境の場合、他の業務との兼ね合いにおいて不都合がないとは言えない。特に中小企業においては、これらの管理以外の作業を兼務せざるを得ないのが現状である。このような状況においては、機密情報が人目に触れる、漏洩する等の不安がつきまとい、担当する者にとって大きなストレスを伴い負担ともなる。
【０００７】
また近年では、個人情報に関わる番号制度が採用され、各種番号を各関連省庁に提出する書類には、特に神経を使う事となる。中小企業に関しては、各省庁への提出は直接でなく、例えば社会保険労務士事務所や税理士事務所を介して提出しているケースが多いが、これらの書類を作成後、郵送したり、例えばシュレッダー廃棄するまで、確実に安全な保管場所を確保しなければならない。しかしながら、金庫の開け閉め等をその都度行っていては、施錠等の手間が掛かる。またどうしても作業を途中で中断しなければならない場合、多忙さでつい近場に置いてしまったりすると大変危険である。
【０００８】
そこで本発明は、書類の一時保管を安全かつ簡便に行うことが可能な保管庫を提供することを目的とする。
【課題を解決するための手段】
【０００９】
上記課題を解決するために、本発明に係る保管庫は、書類を投入するための投入口と、前記書類を蓄積する保管箱と、前記投入口から投入された前記書類を、前記保管箱まで移動させる移動手段と、前記保管箱をロックするロック手段と、を有する。
【００１０】
また、前記投入書類の逆流を防ぐ逆流防止手段を備えていてもよい。
【００１１】
また、前記逆流防止手段は、上下が逆になった際に書類の導路を塞ぐ弁であってもよい。
【００１２】
また、前記ロック手段は、機械錠であり、鍵及び鍵穴を備えていてもよい。
【００１３】
また、前記ロック手段は、電子錠であり、電子機器からの有線又は無線による情報の送受信により、ロック及びロック解除が可能であってもよい。
【００１４】
また、前記ロック手段は、電子錠であり、
カードによるロック及びロック解除が可能であってもよい。
【００１５】
また、前記移動手段は、自然落下により書類を移動させてもよい。
【００１６】
また、前記移動手段は、ローラーの回転によって書類を移動させてもよい。
【００１７】
また、前記移動手段は、その移動の過程で書類を反転させてもよい。
【００１８】
また、前記保管箱の内部に、書類を蓄積するトレイを備えていてもよい。
【００１９】
また、前記保管庫を、複数含んでいてもよい。
【００２０】
また、書類を切断するシュレッダ部を、さらに有していてもよい。
【発明の効果】
【００２１】
本発明によれば、書類の一時保管を安全かつ簡便に行うことが可能な保管庫を提供できる。
【図面の簡単な説明】
【００２２】
【図１】本発明の第１の実施形態に係る保管庫１の斜視図である。
【図２】本発明の第２の実施形態に係る保管庫２の断面図である。
【図３】本発明の第３の実施形態に係る保管庫３の断面図である。
【図４】本発明の第３の実施形態に係る保管庫３の断面図である。
【図５】本発明の第４の実施形態に係る保管庫４の断面図である。
【図６】本発明の第４の実施形態に係る保管庫４の断面図である。
【図７】本発明の第５の実施形態に係る保管庫５の断面図である。
【図８】本発明の第６の実施形態に係る保管庫６の断面図である。
【図９】本発明の第７の実施形態に係る保管庫７の断面図である。
【発明を実施するための形態】
【００２３】
以下、図面を参照して本発明の実施の形態に係る保管庫の例を説明する。
【００２４】
＜第１の実施形態＞
図１は、本発明の第１の実施形態に係る保管庫１の斜視図である。保管庫１は、箱形状の筐体１０を有している。筐体１０には、書類を投入するための投入口１１が開口し、その内部には、取っ手１５を有する引き出し型の保管箱１４が収められ、書類を投入口１１から当該保管箱１４まで移動させる移動手段が設けられている。
【００２５】
投入口１１は、書類が単数〜複数枚纏めて投入可能な大きさの開口である。書類は、移動手段によって保管箱１４まで送られる。本形態においては、移動手段として、投入口１１の開口下辺から延出する案内板１２が形成されている。案内板１２は、下側へ書類を導く曲面を形成する板状の部材である。また、案内板１２の正面には、さらなる移動手段として返し板１３が設けられている。返し板１３は、案内板１２に対向する位置に、案内板１２に沿って湾曲し、やがて反転する曲面を有する板状の部材である。なお、返し板１３の一辺は正面又は天井に固定され、他端の一辺は保管箱１４の背面側と近接している。投入された書類はまず、案内板１２によってガイドされ、やがて返し板１３に衝突しその曲面に沿って反転させられ、保管箱１４へと収められる。
【００２６】
このような構成により、保管箱１４では、表側を上に投入された書類は裏側が上に、裏側を上に投入された書類は表側が上に重ねられてゆく。これにより、表側が裏になり保管箱を引き抜いたとき、人目についても内容を把握されることがない。また、保管箱１４から取り出した際、先に入れた書類が上側にくるため（先入れ先出し）、処理の順序性が確保されると共に、入れた順序に処理される為、各書類の処理の待ち時間の差を減らすことが出来る。また、案内板１２と返し板１３により、手や器具等を内部に入れることが難しくなり、機密性も保たれる。さらに、移動手段が重力による自然落下を利用するものであるため、電気を必要とせず、どのような場所でも使用できる。
【００２７】
なお、保管箱１４は、ここではロック手段としての鍵穴１６と鍵１７によるロックが可能であるものとする。ここではシリンダー錠等の一般的な開閉錠として示したが、ロックが可能なものであればこの限りではない。例えば、磁気カードやＩＣカード等のカード鍵、ＵＳＢや赤外線等を用いたデジタル錠等を用いても良い。
さらに、図示しないが、モーターや、あらかじめ圧縮したコイルばねなどの解除で、外部キーを操作することにより、保管箱のロックが解除される共に、自動で保管箱が前方に押し出される機構を設けても良い。
【００２８】
また、取っ手１５は、図示するような棒状のものに限らず、孔状等であってもよい。例えば貫通孔とすることで、内部の書類の蓄積量を確認することもできる。
【００２９】
さらに、書類を導き易くするために、投入口１１の外側にも、書類をガイドする案内板を設けてもよい。また、投入口１１の大きさや設置位置は任意であり、書類の大きさ等を考慮して自由に設定することが可能である。例えば、筐体１０の上面に投入口１１を設け、書類を縦向きや斜めに入れる構成としても構わない。
【００３０】
なお、筐体１０及び保管箱１４は、金属や樹脂、木材等で形成することができる。また、筐体１０にローラー１８を設けることで、移動可能に構成してもよい。これにより、例えば机の下等に、楽に移動させることができる。
【００３１】
またさらに、保管箱１４を側面から引き出せるように構成してもよい。その場合、より引き出し口を大きく取れるため、紙詰まりの解消や、補修を行い易くなる。
【００３２】
＜第２の実施形態＞
次に、本発明の第２の実施形態について説明する。以下、上述の実施形態と同様の構成を有するものについては同様の符号を付し、詳細な説明は省略する。
【００３３】
図２及び図３は、本発明の第２の実施形態に係る保管庫２の断面図である。図２及び図３に示すように、本発明の第２の実施形態に係る保管庫２は、保管箱２４が回転式である点で、第１の実施形態とは異なる。
【００３４】
保管箱２４は、回転機構２３を有している。回転機構２３は例えば、正面側の上辺に備えられ、筐体１０に両端を支持固定される回転軸によって形成される。保管箱２４は、このような回転軸を回転中心として、筐体１０内で回転可能に設置されている。
【００３５】
なお、保管箱２４は、背面側が持ち上げられ、正面側が下側に傾いた状態で回転ロック機構２５によってロック、保持される。回転ロック機構２５は例えば、コイルばねを備えた凸状のロックピンによって形成される。このようなロックピンは、図２に示すように、保管箱２４の背面側を引き上げると自動的にロックを行う。また、ロックピンを筐体１０の外部から押圧することでロックが解除され、保管箱２４は図３に示すように水平状態になる。水平に戻った保管箱２４は、取っ手１５を引くとレール２６上を滑り、容易に引き出すことが出来る。
【００３６】
このような構成により、本形態の保管庫２は、保管箱２４内で自動的に書類の先端を揃えることが可能である。また、保管箱２４自体が傾いているため、返し板１３から落ちてくる書類が折れ難く、詰まりが発生し難い。
【００３７】
また、スリット２２を設けることで、外側から目視で書類の蓄積量を知ることが可能である。なお、スリット２２は必ずしも貫通孔でなくともよい。例えば、透明樹脂等の板を取り付けた窓とすることで、より安全性が増す。
【００３８】
さらに、保管箱２４と共に回動する蓋２６を設けることで、斜めにした場合に書類が保管箱からこぼれることが無い。なお、蓋２６は筐体１０に保持され、保管箱２４を取り出した際には筐体１０内に残る。
【００３９】
またさらに、保管庫４の上下が逆になった際に、書類の導路を塞ぐ逆流防止手段を設けることで、保管庫４を上下逆になった場合でも、書類が逆流して投入口１１から取り出されるのを防ぐことができる。例えば、図２に記載するような逆流防止弁２１を案内板１２の下端に設けておくことで、上下逆となると弁が回動して案内板１２と返し板１３の間を塞ぎ、保管庫２４からの書類の進路を妨げ、不正な取り出しを防止する。
【００４０】
＜第３の実施形態＞
次に、本発明の第３の実施形態について説明する。
【００４１】
図４及び図５は、本発明の第３の実施形態に係る保管庫３の断面図である。図４及び図５に示すように、本発明の第３の実施形態に係る保管庫３は、移動手段において書類の向きが反転されない点で、第２の実施形態とは異なる。
【００４２】
図４に示すように、返し板３３が上記実施形態のものよりも短く、その曲面が反転しない。従って、書類は反転されずにそのまま、一方が持ち上げられた保管箱３４内へと収められる。
【００４３】
また、図５に示すように、筐体３０には投入口とは逆側に開閉扉３１が設けられている。保管箱３４は、水平に戻した場合に取っ手１５まで筐体３０内に収まるようになっており、開閉扉３１を開くことで取り出すことができる。
【００４４】
このような構成により、本形態の保管庫３は、書類が反転されずそのまま落下するため、詰まりが発生する虞がない。また、正面側から投入された書類を背面側から取り出すことが出来るため、特に対面式のレイアウトにおいて、プライバシーに配慮した業務遂行が可能となる。
【００４５】
＜第４の実施形態＞
次に、本発明の第４の実施形態について説明する。
【００４６】
図６は、本発明の第４の実施形態に係る保管庫４の断面図である。図６に示すように、本発明の第４の実施形態に係る保管庫４は、電動式である点で、上記各実施形態とは異なる。
【００４７】
保管庫４は、筐体４０内に図示しない電源と、当該電源に接続された投入センサー４７と、蓄積センサー４８と、ロック手段として電子ロック４９と、移動手段としてのローラー群４６と、これらを統括する制御部１５０と、を有している。
【００４８】
また、保管庫４は、さらなる移動手段として筐体４０内に両側が開口したガイド４２を有している。ガイド４２は、一方の開口が投入口４１を形成し、投入口４１に書類が投入されると投入センサー４７がこれを感知する。投入センサー４７には、例えば光センサー等を使用することができる。
【００４９】
投入センサー４７が書類の投入を感知すると、制御部１５０はローラー群４６を構成する一対の上下ローラーを稼働させる。各ローラーは書類を挟む方向に回転し、ガイド４２の他方の開口から筐体４０内に書類を引き込んで、返し板４３へと送る。書類が通過して投入センサー４７が非感知状態となると、制御部１５０はローラー群４６を停止させる。
【００５０】
また、別途書類の通過を監視する監視センサーをローラー群４６の後に設けてもよい。また、制御部１５０は、ローラー群４６が回転を始めてから一定時間後に自動的に停止させるようにしても良い。
【００５１】
なお、ローラー群４６は、例えばゴムなどの円筒形状に中心に軸を設けたものとすることができる。また、ローラーとローラーは互いに歯車で連動しても良い。さらに、ローラーの円筒表面にリング状の帯を複数設けた形状として、書類と部分的に接触するような形状としても良い。
【００５２】
返し板４３は、ローラー群４６から送られた書類を反転させて、保管箱４４へと送る。保管箱４４に蓄積された書類は、蓄積センサー４８によって監視される。蓄積センサー４８が書類が一定の量蓄積したことを感知すると、制御部１５０は、図示しない通知手段に通知を実行させる。なお、通知手段としては、例えば通知用ランプや通知音用のスピーカー等が挙げられる。また、蓄積センサーの感知が解除され非感知状態とならない限り、制御部１５０は、投入センサー４７やローラー群４６を稼働させない構成としてもよい。
【００５３】
電子ロック４９は電子錠であり、その開閉には例えば、ＵＳＢメモリ等の補助記憶装置や、ＰＣやタブレット、スマートフォン等の電子機器から、有線又は無線で送信することで解除することができる。なお、磁気カードやＩＣカード、解除コード、パスワード等によって解除する構成としても良い。さらに、電磁ソレノイドやモータ等により、解除と共に自動的に保管箱が前方に飛び出してもよい。
【００５４】
このような構成により、本形態の保管庫４は、ローラー群４６に書類が挟まれて内部に引き込まれるため、逆流や内部での落下の虞が無い。また、蓄積センサー４８を設けることによって書類の蓄積を一目で確認することができる。さらに、電子錠を利用することによってピッキングの虞もない。
【００５５】
なお、非電動式の保管庫にローラー群４６を設けることも可能である。その場合、例えばローラーはクランク等による手回しとし、手動で内部に書類を引き込ませる構成としてもよい。
【００５６】
＜第５の実施形態＞
次に、本発明の第５の実施形態について説明する。
【００５７】
図７は、本発明の第５の実施形態に係る保管庫５の断面図である。図７に示すように、本発明の第５の実施形態に係る保管庫５は、返し板４３の機能をローラー群５５及びローラー群５６により実現している点で、第４の実施形態とは異なる。
【００５８】
具体的に、保管庫５は、筐体５０内のローラー群４６の後段に、さらなる移動手段として通過センサー５１を有する案内板５２と、ローラー群５５と、ローラー群５６と、を有している。ローラー群４６により引き込まれた書類は、上下一対の案内板５２の間を通り、これを通過センサー５１が書類を感知する。通過センサー５１が感知状態となると、制御部１６０は、ローラー群５５及びローラー群５６を稼働させる。また、通過センサーの感知が解除され非感知状態とならない限り、制御部１６０は、投入センサー４７やローラー群４６を稼働させない構成としてもよい。これにより、書類の連投による重なりや順番の前後、よれや詰まり等が発生しない。なお、通過センサー５１が感知状態である間、制御部１６０は、通知手段に投入が不可能であることを通知させてもよい。
【００５９】
ローラー群５５から送られた書類はローラー群５６が引き継ぎ反転させ、保管箱４４へと送る。なお、ローラー群の数は必ずしもこの限りではなく、２つ以下や、３つ以上のローラー群によって書類を送る構成としてもよい。また、必ずしも書類を反転させる必要があるものでもない。
【００６０】
また、ここでは各ローラー群は大小のローラーを組み合わせたものとしているが、その位置や機能によって任意の大きさのものを組み合わせることができる。
【００６１】
このような構成により、本形態の保管庫５は、複数のローラー群によって確実に書類が反転し、保管箱４４内に収まる。また、連投を抑制することで、詰まりの発生を防ぐことも可能である。
【００６２】
＜第６の実施形態＞
次に、本発明の第６の実施形態について説明する。
【００６３】
図８は、本発明の第６の実施形態に係る保管庫６の断面図である。図８に示すように、本発明の第６の実施形態に係る保管庫６は、２つの保管庫を１つの筐体６０内に有している点で、第４の実施形態とは異なる。
【００６４】
保管庫６は、上下に２つの保管機構を有し、それぞれローラー群４６により引き込まれた書類は、そのまま落下して保管箱４４に蓄積される。なお、保管箱４４にはトレイ６２が載せられており、トレイ６２ごと保管箱４４から取り外すことができる。
【００６５】
なお、トレイ６２は、例えばプラスチック樹脂などで成形でき、書類の滑りが良いように内部は滑らかな曲線で構成されていることが望ましい。また、ここでは書類を取り出す側（図８では左側）が、取っ手として利用可能な湾曲板面で構成されているものとする。なお、指を挿し込む穴や凹みが設けられていてもよく、また逆側の一辺にも同様の取っ手を設ければ、楽に持ち運ぶことができる。このようなトレイ６２が設けられていることで、保管箱４４を全て引き出さずに、書類を取り出すことができる。
【００６６】
また、投入口６３には書類ガイド６１が設けられており、ここに書類を載せてローラー群４６へと書類を挿し入れることができる。
【００６７】
なお、電子ロック４９はそれぞれに設けられているが、それぞれ独立して開閉してもよいし、両方が連動して開閉するような構成としてもよい。また、必ずしも両方が電子錠ある必要はなく、一方を鍵穴と鍵による錠としてもよい。
【００６８】
このような構成により、本形態の保管庫６は、１つの筐体６０内に２つの保管庫を形成することで、書類を分別して保管することが可能である。例えば、上部には作成済み書類を、下部は廃棄書類を保管する等である。なお、ロックの解除はそれぞれ別々に行うことが可能であるため、間違いを減らす事が出来る。
【００６９】
＜第７の実施形態＞
次に、本発明の第７の実施形態について説明する。
【００７０】
図９は、本発明の第７の実施形態に係る保管庫７の断面図である。図９に示すように、本発明の第７の実施形態に係る保管庫７は、シュレッダーと組み合わせている点で、上記実施形態とは異なる。
【００７１】
図９に示すように、保管庫７は、保管庫部７１０と、シュレッダ部７２０と、を含んでいる。
【００７２】
シュレッダ部７２０は、投入された書類をローラー群７１で筐体７０内に引き込み、切断刃７２で切断し、切断紙蓄積トレイ７３に蓄積する。保管庫部７１０は上述の保管庫６に含まれる各保管庫と同様の構成を有している。ここでは保管庫を１つとしているが、保管庫６のように複数含まれる構成としてもよい。
【００７３】
このような構成により、本形態の保管庫７は、保管書類は保管庫部７１０を利用し、破棄書類はシュレッダ部７２０を利用することで、何れの書類も仮置きせずにその場で処理することが可能である。これにより、安全、かつ効率的な処理を行うことが可能である。
【００７４】
以上、本発明の実施形態について説明した。なお、上記の実施形態は、本発明の要旨を例示することを意図し、本発明を限定するものではない。本発明の技術的思想の範囲内でさらなる様々な変形が可能である。
【００７５】
例えば、保守や点検、補修等を目的として、保管箱にアクセスできないような位置に、別途鍵付の扉を設けてもよい。
【００７６】
また、各ローラーは、必ずしも一対でその間に書類を挟み込ませる必要はない。例えば、板の上の書類を１つのローラーによって押さえ込み、書類を移動させてもよい。
【００７７】
さらに、各実施形態及び変形例は、自由に組み合わせることが可能である。
【符号の説明】
【００７８】
１・２・３・４・５・６・７：保管庫、１０：筐体、１１：投入口、１２：案内板、１３：返し板、１４：保管箱、１５：取っ手、１６：鍵穴、１７：鍵、１８：ローラー、２１：落下防止弁、２２：スリット、２３：回転機構、２４：保管箱、２５：回転ロック機構、２６：レール、２６：蓋、３０：筐体、３１：開閉扉、３３：返し板、３４：保管箱、４０：筐体、４１：投入口、４２：ガイド、４３：返し板、４４：保管箱、４６：ローラー群、４７：投入センサー、４８：蓄積センサー、４９：電子ロック、５０：筐体、５１：通過センサー、５２：案内板、５５：ローラー群、５６：ローラー群、６０：筐体、６１：書類ガイド、６２：トレイ、６３：投入口、７０：筐体、７１：ローラー群、７１０：保管庫部、７２：切断刃、７２０：シュレッダ部、７３：切断紙蓄積トレイ、１５０：制御部、１６０：制御部。
【図１】
2019042528.tif 000003
【図２】
2019042528.tif 000004
【図３】
2019042528.tif 000005
【図４】
2019042528.tif 000006
【図５】
2019042528.tif 000007
【図６】
2019042528.tif 000008
【図７】
2019042528.tif 000009
【図８】
2019042528.tif 000010
【図９】
2019042528.tif 000011